(57)【要約】【課題】髪の毛を傷めにくくする。【解決手段】ヘアドライヤは、内部にドライヤヒータ３２を収容し、空気をドライヤヒータ３２に流通することで温風を吹き出す。ドライヤヒータ３２は、棒状のセラミック中心体３２ｃと、軸方向の伸びる複数の支持板であって、内方端がセラミック中心体に固定されて、セラミック中心体から半径方向に伸びる複数の支持板３２ｂと、複数の支持板の外方端に巻回される電熱線３２ａと、を含む。【選択図】図４
2018111024.tif 000002
【特許請求の範囲】
【請求項１】
内部にドライヤヒータを収容し、空気をドライヤヒータに流通することで温風を吹き出すヘアドライヤであって、
ドライヤヒータは、
棒状のセラミック中心体と、
軸方向の伸びる複数の支持板であって、内方端がセラミック中心体に固定されて、セラミック中心体から半径方向に伸びる複数の支持板と、
複数の支持板の外方端に巻回される電熱線と、
を含む、
ヘアドライヤ。
【請求項２】
請求項１に記載のヘアドライヤであって、
前記複数の支持体は、軸方向から見て十字状に組み合わされた板状の支持体であり、内方端はセラミック中心体の周辺部に設けられた軸方向に伸びる４つの切り込みに嵌め込まれている、
ヘアドライヤ。
【発明の詳細な説明】
【技術分野】
【０００１】
本発明はヘアドライヤに関する。
【背景技術】
【０００２】
従来より、ヘアケア装置として、ヘアドライヤや、ヘアアイロンがある。ヘアドライヤは温風を吹き出すことによって、髪の毛を乾かすのに用いられ、ヘアアイロンは髪の毛を加熱し、髪の毛に所望のウェーブを掛けたり、髪の毛をストレートにしたりするのに用いられる。
【先行技術文献】
【特許文献】
【０００３】
【特許文献１】特開２００９−１３６５７６号公報
【発明の概要】
【発明が解決しようとする課題】
【０００４】
ここで、ヘアドライヤとヘアアイロンはその機能が異なるので、別々の装置として製造、販売されている。一方、ヘアケア製品としては同種のものであり、これをまとめられればユーザにとっては便利である。また、ヘアドライヤは、髪にやさしい乾燥が行えることが望まれる。
【課題を解決するための手段】
【０００５】
本発明は、内部にドライヤヒータを収容し、空気をドライヤヒータに流通することで温風を吹き出すヘアドライヤであって、ドライヤヒータは、棒状のセラミック中心体と、軸方向の伸びる複数の支持板であって、内方端がセラミック中心体に固定されて、セラミック中心体から半径方向に伸びる複数の支持板と、複数の支持板の外方端に巻回される電熱線と、を含む。
【０００６】
また、前記複数の支持体は、軸方向から見て十字状に組み合わされた板状の支持体であり、内方端はセラミック中心体の周辺部に設けられた軸方向に伸びる４つの切り込みに嵌め込まれているとよい。
【発明の効果】
【０００７】
本発明によれば、送風される空気は、電熱線のみではなく、セラミック中心体によっても加熱され、髪にやさしい乾燥が行える。
【図面の簡単な説明】
【０００８】
【図１】実施形態の装置の回路構成を示す図である。
【図２】ブローユニット、アイロンユニットの本体への装着を説明する図である。
【図３】本体の構成を示す模式図である。
【図４】本体ヒータの構成を示す図である。
【図５】アイロンヒータの構成を示す図である。
【発明を実施するための形態】
【０００９】
以下、本発明の実施形態について、図面に基づいて説明する。なお、本発明は、ここに記載される実施形態に限定されるものではない。
【００１０】
「回路構成」
図１に回路構成を示す。プラグ１０は、ＡＣ１００〜２４０Ｖの商用電源に接続可能であり、本装置を電源に接続する。プラグ１０は、本体２０の電源回路２２に接続される。電源回路２２は、例えば整流回路を有し、後段で必要なＤＣ電力を出力したり、交流であっても適切な電圧の電力を後段に出力する。後段に出力対象によって出力する電力（ＡＣ、ＤＣ、電圧、電流）を変更するように構成しても構わない。
【００１１】
電源回路２２には切替スイッチ２４が接続される。この切替スイッチ２４は、ヘアドライヤとして利用するか、ヘアアイロンとして利用するかによって電力出力先を変更するものである。切替スイッチ２４は、機械的なスイッチでもよいし、電源回路２２内などに収められ、外部からの信号に応じて電力出力先を切り換える、トランジスタなどで構成されるスイッチでもよい。
【００１２】
切替スイッチ２４の一端は、電圧調整回路２６に接続されている。この電圧調整回路２６には、スイッチＳＷ１によって出力電圧を変更する。例えば、スイッチＳＷ１は、３段階程度のドライヤの強度調整のスイッチであり、ユーザが操作することによって、どの強度が選択されたかの信号が電圧調整回路２６に供給される。乾燥強度が高い選択であれば高い電圧を出力する。
【００１３】
電圧調整回路２６には、モータ２８が接続されており、電圧調整回路２６からの電力によって回転する。このモータ２８の回転軸にはファン３０が接続されているため、モータ２８の回転によってファン３０が回転して、所望の送風が行われる。すなわち、電圧調整回路２６から供給される電圧に応じて電圧が高いほど強い送風が行われる。また、電圧調整回路２６には、ニクロム線など電流に応じて発熱する導電材料で構成されたドライヤヒータ３２が接続されており、供給される電力に応じて発熱する。このドライヤヒータ３２もスイッチＳＷ１の強度に応じて設定された強度が高いほど大きな発熱をする。
【００１４】
切替スイッチ２４には、コネクタ４０の本体側コネクタ４０ａが接続されている。一方、このコネクタ４０には、アイロン側コネクタ４０ｂがあり、アイロンユニット５０が本体２０に接続された場合には、コネクタ４０ａ，４０ｂが電気的に導通されるようになっている。アイロンユニット５０は、アイロンヒータ５２を内蔵しており、アイロンヒータ５２は、切替スイッチ２４を介し電源回路２２からの電力供給を受け発熱する。
【００１５】
ここで、スイッチＳＷ２により切替スイッチ２４が切り換えられ、アイロンユニット５０が本体２０に装着された場合に、切替スイッチ２４が自動的に切り換えられ、電力がアイロンユニット５０に供給されることが好ましい。
【００１６】
すなわち、スイッチＳＷ２によって、モータ２８を駆動可能とするドライヤ機能と、アイロンヒータ５２が発熱するアイロン機能が切り替えられる。
【００１７】
「全体構成」
図２に、本実施形態に係るヘアケア装置の全体構成を示す。基本的に、本体２０と、アイロンユニット５０と、ブローユニット６０の３つの部材から構成されている。そして、本体２０の上端部に、アイロンユニット５０およびブローユニット６０が係合固定可能であり、ヘアアイロンとして使用する場合にアイロンユニット５０を固定し、ヘアドライヤとして使用する場合にブローユニット６０を固定する。
【００１８】
本体２０は、本体ケーシング２０ａと、キャップ２０ｂを有し、内部に電源回路２２、切替スイッチ２４、電圧調整回路２６、モータ２８、ファン３０、ドライヤヒータ３２などが内蔵され、モータ２８によって駆動されるファン３０によって、本体２０の底面に設けられた吸気口から取り込んだ空気をキャップ２０ｂの上面に形成された吹き出し口から吹き出す。
【００１９】
本体ケーシング２０ａと、キャップ２０ｂとは、ねじ止めなどの適宜手段で固定されており、修理などの際にキャップ２０ｂが取り外される。
【００２０】
キャップ２０ｂの上端部には本体側コネクタ４０ａが形成されている。図において、模式的に示してあるが、実際には上方のみが吹き出し口の周辺部において露出するようになっている。一方、アイロンユニット５０は、その下部の内側にアイロン側コネクタ４０ｂを有し、アイロンユニット５０が、本体２０のキャップ２０ｂに係合されたときに、アイロン側コネクタ４０ｂと、本体側コネクタ４０ａが接触し、電気的に導通する。図においては、アイロン側コネクタ４０ｂを見えるように記載したが実際には、下方から見た場合に見える位置に設けられる。なお、本体側コネクタ４０ａ、アイロン側コネクタ４０ｂについては、このような構成に限らず、各種の公知の構成を採ることができる。
【００２１】
アイロンユニット５０は、全体として円筒状で、下方の基部５０ａが本体２０のキャップ２０ｂに覆い被さるようにして装着される。両者の固定には、ねじ機構など各種のロック機構を採用することができる。
【００２２】
アイロンユニット５０の基部５０ａ上には、円筒状の本体部５０ｂが一体的に設けられており、本体部５０ｂの外周面には、ブラシ５０ｃが設けられる。なお、本体部５０ｂの外周面が加熱され、ここに接触または近接された髪の毛が加熱され、カール等のアイロン掛け効果が得られる。
【００２３】
また、ブローユニット６０は、アイロンユニット５０と同様の基部６０ａを有し、ここが本体２０のキャップ２０ｂにロックされる。ブローユニット６０は、アイロンユニット５０の基部５０ａと同様に、全体として円筒状で、下方の基部６０ａが本体２０のキャップ２０ｂに覆い被さるようにして装着される。
【００２４】
ブローユニット６０の基部６０ａ上には、断面かまぼこ状の中空筒からなる本体部６０ｂが一体的に設けられており、本体部６０ｂの曲面側の面には、ブラシ６０ｃが設けられる。また、ブラシ６０ｃの間には、複数の空気吹き出し口６０ｄが設けられ、ここから本体２０から吐出される温風が吹き出される。これによって、ドライヤとして、機能する。
【００２５】
「本体２０の構成」
図３に、本体２０の構成について、模式的に示してある。図においては、本体ケーシング２０ａの内部に収容される構成について、ブロック図として示してある。このように、本体ケーシング２０ａの内部の上部にドライヤヒータ３２が配置され、下部にモータ２８およびファン３０がこの順で配置される。そして、ファン３０の下方には、吸気口が位置され、ファン３０の回転によって、ここから空気が吸い込まれ、ドライヤヒータ３２を通過して加熱され温風となって上端の吹き出し口から吐出される。なお、図３においては、吸気口が楕円で模式的に示されている。
【００２６】
なお、図１に示した、電源回路２２、電圧調整回路２６や、スイッチなどについては図示を省略している。
【００２７】
「ドライヤヒータ３２の構成」
ドライヤヒータ３２は、図４（ａ）、（ｂ）に示すように、電熱線３２ａ、支持板３２ｂ、セラミック中心体３２ｃ、およびセラミックリング３２ｄを有している。図４（ａ）は、ドライヤヒータの正面図（空気の流れは図における下から上）であり、図４（ｂ）は下方（空気の上流側）から見た模式図であり、セラミック中心体３２ｃ、セラミックリング３２ｄを砂地のハッチングで示している。
【００２８】
電熱線３２ａには、図１における電圧調整回路２６から所定の電力が供給され、電熱線３２ａの電気抵抗に応じてエネルギー消費され、対応した熱が発生される。電熱線は例えばニクロム線などで構成することができる。電熱線３２ａは、雲母などの耐熱性材料で形成され、十字状に組み合わされた２枚の支持板３２ｂによって、セラミック中心体３２ｃに接続されている。いいかえれば、棒状で周辺に軸方向に４つの切り込み（中心角９０度ずつ異なる）について、コの字状の板状の支持板３２ｂに嵌め込まれ半径方向外側に伸び、この外終端に電熱線３２ａが巻回される。なお、図における上方で、２枚の支持板３２ｂは中心部で互いに接続され、上方から見て十字の形態となっている。
【００２９】
また、セラミック中心体３２ｃの下方には、セラミックリング３２ｄが設けられ、２つの支持板３２ｂの内側に配置されている。また、このセラミックリング３２ｄの中央には、開口が設けられており、セラミック中心体３２ｃの下端は、この開口の中まで伸びている。
【００３０】
このようなドライヤヒータ３２には、ファン３０によって送風される空気が送られ、ここで加熱されて、上方に送出される。特に、セラミック中心体３２ｃ、セラミックリング３２ｄを有しており、これらは電熱線３２ａによって加熱されている。従って、送風される空気は、電熱線３２ａのみではなく、セラミック中心体３２ｃ、セラミックリング３２ｄで加熱される。このように、セラミックを利用して加熱することによって、非常に高温となる電熱線３２ａによって加熱される加熱空気に比べ、髪にやさしい乾燥が行える。
【００３１】
「アイロンヒータ５２の構成」
アイロンヒータ５２の構成について、図５に示す。このように、保持体５２ａ、一対のセラミック体５２ｂおよびヒータ５２ｃを有する。アイロンヒータ５２は、例えばＰＴＣヒータなど電力供給を得て所定温度で発熱するヒータである。必ずしもＰＴＣヒータである必要はないが、温度調整機構は必要である。本例では、ヒータ５２ｃは長方形の板状であり、これが、保持体５２ａに挿入保持される。保持体５２ａは、中央部にヒータ５２ｃが挿入される直方体形状のスペースを有し、その上部および下部に半円筒状のスペースを区画する部分を有している。また、そのスペースに半円筒形状のセラミック体５２ｂが挿入される。
【００３２】
このようにして、アイロンヒータ５２においては、ヒータ５２ｃからの発熱は、保持体５２ａを介し、本体部５０ｂに伝達され、本体部５０ｂ近傍の髪の毛が加熱される。本体部５０ｂに髪の毛を巻き付けて加熱することによって、カールを付けたヘアスタイリングが行える。特に、中央部分にセラミック体５２ｂを有しているため、ヒータ５２ｃの熱が直接本体部５０ｂに影響することを抑制し、本体部５０ｂの温度をセラミック体５２ｂの安定した温度に維持できる。ヒータ５２ｃのオンオフによる温度変化も抑制して、髪の毛を傷めることのないヘアアイロンを提供することができる。
【００３３】
「実施形態の効果」
このように、本実施形態に係るヘアケア装置によれば、ブローユニット６０、アイロンユニット５０の付け替えによって簡単に両機能を使用することができる。
【００３４】
アイロンユニット５０は、本体から給電を受けるため、本体についてのみ電源線を接続すればよい。また、ブローユニット６０は、本体からの温風を吹き出せばよいので、構成が簡単になる。
【００３５】
なお、ブローユニット６０、アイロンユニット５０については、本体部が異なるものを複数種類用意し、これらを交換できるようにしてもよい。
【符号の説明】
【００３６】
１０  プラグ、２０  本体、２０ａ  本体ケーシング、２０ｂ  キャップ、２２  電源回路、２４  切替スイッチ、２６  電圧調整回路、２８  モータ、３０  ファン、３２  ドライヤヒータ、３２ａ  電熱線、３２ｂ  支持板、３２ｃ  セラミック中心体、３２ｄ  セラミックリング、４０  コネクタ、４０ａ  本体側コネクタ、４０ｂ  アイロン側コネクタ、５０  アイロンユニット、５０ａ  基部、５０ｂ  本体部、５０ｃ  ブラシ、５２  アイロンヒータ、５２ａ  保持体、５２ｂ  セラミック体、５２ｃ  ヒータ、６０  ブローユニット、６０ａ  基部、６０ｂ  本体部、６０ｃ  ブラシ、６０ｄ  空気吹き出し口、ＳＷ１，ＳＷ２  スイッチ。
【図１】
2018111024.tif 000003
【図２】
2018111024.tif 000004
【図３】
2018111024.tif 000005
【図４】
2018111024.tif 000006
【図５】
2018111024.tif 000007